(57)【要約】【課題】操作性の向上を図るとともに、換気と清掃とを良好に行うことができる建具を提供すること。【解決手段】障子２０を開口枠１０の見込方向に沿って開閉移動させる建具において、開口枠１０に対して障子２０を閉めた際に互いに対向する左縦框２３及び左縦枠１３の一方に配設される噛合ピン４１，４３と、左縦框２３及び左縦枠１３の他方に配設され、かつ噛合ピン４１，４３の進入を許容するとともに左縦框２３の長手方向に対して傾斜して延在する噛合溝４２ａ，４４ａが形成された噛合部４２，４４とを備えた第１開閉機構４０と、上框２１及び下框２２において操作ハンドル３０に連係されるとともに上框２１及び下框２２の長手方向に沿ってスライド移動可能に配設される下框スライダ６１及び上框スライダ６６と、上枠１１及び下枠１２と、障子２０とに連結されるステイ部材６２，６７とを備えた第２開閉機構６０とを備えたものである。【選択図】図２
2014118804.tif 000002
【特許請求の範囲】
【請求項１】
開口枠と障子との間に介在して、障子を開口枠の見込方向に沿って開閉移動させる開閉手段を備えた建具において、
前記開閉手段は、
開口枠に対して障子を閉めた際に互いに対向する障子の第１框及び開口枠の第１枠の一方に配設される噛合ピンと、その他方に配設され、噛合ピンの進入を許容するとともに第１框の長手方向に対して傾斜して延在する噛合溝が形成された噛合部とを備え、噛合ピン及び噛合部の一方が操作ハンドルに連係手段を介して連係される第１開閉機構と、
第１框に連結された第２框においてその長手方向に沿ってスライド移動可能に配設され、前記操作ハンドルに連係手段を介して連係されるスライド部材と、開口枠と障子とに連結されるとともに前記スライド部材と連係するステイ部材とを備えた第２開閉機構と
を備え、
前記操作ハンドルが閉位置にある場合には、第１開閉機構が噛合ピン及び噛合部の一方を第１基準位置に位置させて噛合ピンが噛合溝から離脱した非噛合状態とし、かつ第２開閉機構がスライド部材を第２基準位置に位置させてスライド部材及びステイ部材の一方に配設される突起部をスライド部材及びステイ部材の他方に配設される第１長孔部に進入させて障子を開口枠に対して閉じた状態となることを許容し、
前記操作ハンドルが操作されて第１開位置となる場合には、第１開閉機構が噛合ピン及び噛合部の一方を第１変位位置までスライド移動させて非噛合状態とし、かつ第２開閉機構がスライド部材を第１移動位置にスライド移動させることにより、第１長孔部に突起部を移動させて障子の開閉移動を許容し、
前記操作ハンドルが操作されて第２開位置となる場合には、第１開閉機構が噛合ピン及び噛合部の一方を第１変位位置よりも第１基準位置から離隔した第２変位位置までスライド移動させることにより、噛合ピンを噛合溝に進入させて移動させることで障子の第１框側を開口枠に対して開移動させ、かつ第２開閉機構がスライド部材を第１移動位置よりも第２基準位置から離隔した第２移動位置にスライド移動させることにより、第１長孔部に連続して第２框の長手方向に対して傾斜延在する第２長孔部に突起部を移動させて障子の第１框の反対側を開口枠に対して開移動させることを特徴とする建具。
【請求項２】
前記第１開閉機構は、開口枠を構成する一方の縦枠に配設される噛合ピンと、障子を構成する一方の縦框に配設された噛合部とを備えてなり、前記操作ハンドルが閉位置にある場合には、該操作ハンドルに連係手段を介して連係された噛合部を第１基準位置に位置させて噛合ピンと非噛合状態とさせ、前記操作ハンドルが操作されて第１開位置となる場合には、噛合部を第１変位位置までスライド移動させて非噛合状態とさせ、前記操作ハンドルが操作されて第２開位置となる場合には、噛合部を第２変位位置までスライド移動させることにより、障子の一方の縦框側を開口枠に対して開移動させることを特徴とする請求項１に記載の建具。
【請求項３】
前記第２開閉機構は、開口枠を構成する上框及び下框のそれぞれにおいて操作ハンドルに連係手段を介して連係されるとともに上框及び下框の長手方向に沿ってスライド移動可能に配設されるスライド部材と、開口枠を構成する上枠及び下枠のそれぞれに連結されるとともに障子に連結されたステイ部材とを備えてなり、操作ハンドルが閉位置にある場合には、スライド部材を第２基準位置に位置させて該スライド部材に配設される突起部をステイ部材に配設される第１長孔部に進入させ、前記操作ハンドルが操作されて第１開位置となる場合には、スライド部材を第１移動位置にスライド移動させることにより、第１長孔部に突起部を移動させて障子の開閉移動を許容し、操作ハンドルが操作されて第２開位置となる場合には、スライド部材を第２移動位置にスライド移動させることにより、第２長孔部に突起部を移動させて障子の他方の縦框側を開口枠に対して開移動させることを特徴とする請求項１又は請求項２に記載の建具。
【発明の詳細な説明】
【技術分野】
【０００１】
本発明は、建具に関し、より詳細には、例えば平行突き出し窓のように障子全体を開口枠の見込方向に移動させたり、例えば縦すべり出し窓のように障子の一側縁部を構成する框を開閉端として開口枠の見込方向に移動させたりすることが可能な多方向開放窓のような建具に関するものである。
【背景技術】
【０００２】
多方向開放窓のような建具の従来技術としては、例えば特許文献１に記載のものが提供されている。この建具は、開口枠と障子との間にリンク部材を備えている。リンク部材は、開口枠の上枠と障子の上框との間、並びに開口枠の下枠と下框との間をそれぞれ連結する左右のリンクアームを備えている。これらリンクアームは、一端が回動軸連結され、他端がスライド連結されている。
【０００３】
このような建具においては、すべてのリンクアームを開口枠の見込方向に沿って回動させることで開口枠に対して障子を平行に突き出すよう開移動させることが可能であるとともに、障子が開口枠を閉じた状態にある場合に左右一方のリンクアームを開口枠の見込方向に沿って回動させることで開口枠に対して障子の左右一方を開移動させることが可能である。そして、かかる構成を採用する結果、風の向きに応じて障子を開移動させることで換気性能を向上させることができる。
【先行技術文献】
【特許文献】
【０００４】
【特許文献１】特開２０１２−１３６９２６号公報
【発明の概要】
【発明が解決しようとする課題】
【０００５】
ところが、上述した特許文献１に提案されているような建具では、左右のリンクアームの回動を調整することにより障子を開口枠に対して開移動させているので、障子の左右一方を開移動させる場合にも開口枠に対する障子の開度が十分に大きなものとはならず、障子の清掃を行うことが困難であった。また、左右のリンクアームが互いに連係している構成ではないので、１つの操作ハンドルを操作することにより障子の開移動パターンを調整することができず、操作性が良好なものとはいえなかった。
【０００６】
本発明は、上記実情に鑑みて、操作性の向上を図るとともに、換気と清掃とを良好に行うことができる建具を提供することを目的とする。
【課題を解決するための手段】
【０００７】
上記目的を達成するために、本発明に係る建具は、開口枠と障子との間に介在して、障子を開口枠の見込方向に沿って開閉移動させる開閉手段を備えた建具において、前記開閉手段は、開口枠に対して障子を閉めた際に互いに対向する障子の第１框及び開口枠の第１枠の一方に配設される噛合ピンと、その他方に配設され、噛合ピンの進入を許容するとともに第１框の長手方向に対して傾斜して延在する噛合溝が形成された噛合部とを備え、噛合ピン及び噛合部の一方が操作ハンドルに連係手段を介して連係される第１開閉機構と、第１框に連結された第２框においてその長手方向に沿ってスライド移動可能に配設され、前記操作ハンドルに連係手段を介して連係されるスライド部材と、開口枠と障子とに連結されるとともに前記スライド部材と連係するステイ部材とを備えた第２開閉機構とを備え、前記操作ハンドルが閉位置にある場合には、第１開閉機構が噛合ピン及び噛合部の一方を第１基準位置に位置させて噛合ピンが噛合溝から離脱した非噛合状態とし、かつ第２開閉機構がスライド部材を第２基準位置に位置させてスライド部材及びステイ部材の一方に配設される突起部をスライド部材及びステイ部材の他方に配設される第１長孔部に進入させて障子を開口枠に対して閉じた状態となることを許容し、前記操作ハンドルが操作されて第１開位置となる場合には、第１開閉機構が噛合ピン及び噛合部の一方を第１変位位置までスライド移動させて非噛合状態とし、かつ第２開閉機構がスライド部材を第１移動位置にスライド移動させることにより、第１長孔部に突起部を移動させて障子の開閉移動を許容し、前記操作ハンドルが操作されて第２開位置となる場合には、第１開閉機構が噛合ピン及び噛合部の一方を第１変位位置よりも第１基準位置から離隔した第２変位位置までスライド移動させることにより、噛合ピンを噛合溝に進入させて移動させることで障子の第１框側を開口枠に対して開移動させ、かつ第２開閉機構がスライド部材を第１移動位置よりも第２基準位置から離隔した第２移動位置にスライド移動させることにより、第１長孔部に連続して第２框の長手方向に対して傾斜延在する第２長孔部に突起部を移動させて障子の第１框の反対側を開口枠に対して開移動させることを特徴とする。
【０００８】
この発明によれば、操作ハンドルが操作されて第１開位置となる場合には、第１開閉機構が噛合ピンと噛合部とを非噛合状態とさせ、かつ第２開閉機構が障子の開閉移動を許容するので、障子を必要な開度分だけ開移動させることができ、障子の清掃を良好に行うことができる。また、操作ハンドルが操作されて第２開位置となる場合には、第１開閉機構が障子の第１框側を開口枠に対して開移動させ、かつ第２開閉機構が障子の第１框の反対側を開口枠に対して開移動させるので、障子全体を開口枠に対して見込み方向に平行に突き出した状態にすることができ、障子の上下左右に開口枠との隙間を形成して換気性能の向上を図ることができる。しかも第１開閉機構及び第２開閉機構の構成要素は、連係手段を介して操作ハンドルに連係しているので、操作ハンドルが操作されるだけで障子の開移動パターンを調整できるので、操作性を良好なものとすることができる。
【０００９】
また、本発明は、上記建具において、前記第１開閉機構は、開口枠を構成する一方の縦枠に配設される噛合ピンと、障子を構成する一方の縦框に配設された噛合部とを備えてなり、前記操作ハンドルが閉位置にある場合には、該操作ハンドルに連係手段を介して連係された噛合部を第１基準位置に位置させて噛合ピンと非噛合状態とさせ、前記操作ハンドルが操作されて第１開位置となる場合には、噛合部を第１変位位置までスライド移動させて非噛合状態とさせ、前記操作ハンドルが操作されて第２開位置となる場合には、噛合部を第２変位位置までスライド移動させることにより、障子の一方の縦框側を開口枠に対して開移動させることを特徴とする。
【００１０】
この発明によれば、第１開閉機構を構成する噛合ピンを縦枠に配設したので、縦枠に噛合部を配設するのに比して目立たなくすることができ、意匠性にも優れたものとすることができる。
【００１１】
また、本発明は、上記建具において、前記第２開閉機構は、開口枠を構成する上框及び下框のそれぞれにおいて操作ハンドルに連係手段を介して連係されるとともに上框及び下框の長手方向に沿ってスライド移動可能に配設されるスライド部材と、開口枠を構成する上枠及び下枠のそれぞれに連結されるとともに障子に連結されたステイ部材とを備えてなり、操作ハンドルが閉位置にある場合には、スライド部材を第２基準位置に位置させて該スライド部材に配設される突起部をステイ部材に配設される第１長孔部に進入させ、前記操作ハンドルが操作されて第１開位置となる場合には、スライド部材を第１移動位置にスライド移動させることにより、第１長孔部に突起部を移動させて障子の開閉移動を許容し、操作ハンドルが操作されて第２開位置となる場合には、スライド部材を第２移動位置にスライド移動させることにより、第２長孔部に突起部を移動させて障子の他方の縦框側を開口枠に対して開移動させることを特徴とする。
【００１２】
この発明によれば、第２開閉機構を構成するスライド部材に突起部を形成し、かつステイ部材に第１長孔部及び第２長孔部を形成したので、スライド部材における障子の見込み方向に沿った長さが過大なものとなることを抑制することができる。
【発明の効果】
【００１３】
本発明によれば、操作性の向上を図るとともに、換気と清掃とを良好に行うことができるという効果を奏する。
【図面の簡単な説明】
【００１４】
【図１】図１は、本発明の実施の形態である建具を室内側から見た場合を示す斜視図である。
【図２】図２は、図１に示した建具を構成する障子の要部を示す分解斜視図である。
【図３】図３は、中間作動部の構成を示す斜視図である。
【図４】図４は、図１に示した建具を構成する上部開閉ユニットの構成を示す拡大図であり、（ａ）は上部噛合部が下限位置に位置する状態を示し、（ｂ）は上部噛合部が中間位置に位置する状態を示し、（ｃ）は上部噛合部が上限位置に位置する状態を示している。
【図５】図５は、図１に示した建具を構成する下部開閉ユニットの構成を示す拡大図であり、（ａ）は下部噛合部が上限位置に位置する状態を示し、（ｂ）は下部噛合部が中間位置に位置する状態を示し、（ｃ）は下部噛合部が下限位置に位置する状態を示している。
【図６】図６は、図２に示したストッパ部材と、上部スライダとの位置関係を示す斜視図である。
【図７】図７は、図１に示した建具の横断面を上方から見た場合を示す断面図である。
【図８】図８は、図７に示したステイ部材を拡大して示す平面図である。
【図９】図９は、建具の横断面を上方から見た場合を示す断面図である。
【図１０】図１０は、建具を室内側から見た場合を示す斜視図である。
【図１１】図１１は、建具の横断面を上方から見た場合を示す断面図である。
【図１２】図１２は、建具を室内側から見た場合を示す斜視図である。
【発明を実施するための形態】
【００１５】
以下に添付図面を参照して、本発明に係る建具の好適な実施の形態について詳細に説明する。
【００１６】
図１は、本発明の実施の形態である建具を室内側から見た場合を示す斜視図である。ここで例示する建具は、開口枠１０に対して障子２０が開口枠１０の見込み方向に沿って開閉自在に支持されたもので、いわゆる「多方向開放窓」と称されるものである。
【００１７】
開口枠１０は、上枠１１、下枠１２及び左右一対の縦枠１３，１４を四周枠組みすることによって構成された矩形状を成すものである。障子２０は、上框２１、下框２２及び左右一対の縦框２３，２４を四周框組みし、さらにこれらの框の間にガラス板等の面材２５を支持させて構成されたものである。
【００１８】
図２は、図１に示した建具を構成する障子２０の要部を示す分解斜視図であり、一部開口枠１０に取り付けられるものを含めている。以下においては、かかる図２を参照しつつ建具について説明する。
【００１９】
上記開口枠１０及び障子２０を有する建具においては、操作ハンドル３０、第１開閉機構４０、ストッパ部材５０及び第２開閉機構６０が備えられて構成されている。
【００２０】
操作ハンドル３０は、図１において左方に位置する第１框となる縦框２３（以下、「左縦框２３」ともいう）の室内面となる見付け面の略中央部に取り付けられている。操作ハンドル３０は、障子２０の見込み方向に沿った図示せぬ回転軸を中心に回転させることにより、把手部３０ａが下方に向けて延在する閉位置と、把手部３０ａが右方に向けて延在する９０°回転位置（第１開位置）と、把手部３０ａが上方に向けて延在する１８０°回転位置（第２開位置）との間を移動して中間作動部３１を駆動させるものである。
【００２１】
中間作動部３１は、図３の（ａ）に示すように、回転ギア３１１、連係ギア３１２、第１中間スライド部３１３及び第２中間スライド部３１４を備えて構成されている。回転ギア３１１は、操作ハンドル３０の回転により中心軸回りに回転するものである。連係ギア３１２は、回転ギア３１１と一部が噛み合っており、回転ギア３１１の回転に伴って中心軸回りに回転するものである。第１中間スライド部３１３は、左縦框２３の長手方向、すなわち上下方向に沿って延在する長尺状部材であり、下端部のギア部３１３ａが回転ギア３１１と噛み合っている。この第１中間スライド部３１３は、回転ギア３１１の回転に伴って左縦框２３の長手方向に沿ってスライド移動するものである。第２中間スライド部３１４は、左縦框２３の長手方向、すなわち上下方向に沿って延在する長尺状部材であって、第１中間スライド部３１３よりも室外側に配設されている。この第２中間スライド部３１４は、上端部のギア部３１４ａが連係ギア３１２と噛み合っており、連係ギア３１２の回転に伴って左縦框２３の長手方向に沿ってスライド移動するものである。
【００２２】
かかる中間作動部３１においては、操作ハンドル３０が閉位置にある場合、図３の（ａ）に示すように、第１中間スライド部３１３の先端部（上端部）と、第２中間スライド部３１４の先端部（下端部）との離間距離が最も小さくなっている。操作ハンドル３０が９０°回転位置にある場合、図３の（ｂ）に示すように、第１中間スライド部３１３が所定ストローク分だけ上方に向けてスライド移動するとともに、第２中間スライド部３１４が所定ストローク分だけ下方に向けてスライド移動することで、第１中間スライド部３１３の先端部（上端部）と、第２中間スライド部３１４の先端部（下端部）との離間距離が大きくなる。そして、操作ハンドル３０が１８０°回転位置にある場合、図３の（ｃ）に示すように、第１中間スライド部３１３が所定ストローク分だけ上方に向けてスライド移動するとともに、第２中間スライド部３１４が所定ストローク分だけ下方に向けてスライド移動することで、第１中間スライド部３１３の先端部（上端部）と、第２中間スライド部３１４の先端部（下端部）との離間距離がさらに大きくなる。
【００２３】
第１開閉機構４０は、上部開閉ユニット４０ａ及び下部開閉ユニット４０ｂを備えて構成されている。上部開閉ユニット４０ａは、上部噛合ピン４１と上部噛合部４２とを備えている。上部噛合ピン４１は、開口枠１０に対して障子２０を閉めた際に左縦框２３に対向する第１枠となる縦枠１３（以下、「左縦枠１３」ともいう）に配設されている。
【００２４】
上部噛合部４２は、上部スライダ３２に取り付けられている。ここで上部スライダ３２は、左縦框２３に配設されており、この左縦框２３の長手方向に沿って延在する長尺板状部材である。上部スライダ３２の下端部は、中間作動部３１を構成する第１中間スライド部３１３の上端部に連結されており、これにより上部スライダ３２は、操作ハンドル３０の操作による中間作動部３１の駆動に伴って左縦框２３の長手方向に沿ってスライド移動するものである。つまり、上部噛合部４２は、左縦框２３の長手方向に沿ってスライド移動するものである。
【００２５】
上部噛合部４２は、図４の（ａ）に示すように、上部噛合溝４２ａが形成されている。上部噛合溝４２ａは、左縦枠１３を臨むことが可能な面（左面）において、室外側に向かうに連れて漸次下方に傾斜するよう形成されている。
【００２６】
また、上部噛合部４２は、室外側端部が左縦框２３の室外部２３ａよりも室外側に僅かに突出しており、左縦框２３の室外部２３ａに形成された切欠面２３ｂに摺接しながらスライド移動するものである。より詳細に説明すると、上部噛合部４２は、操作ハンドル３０が閉位置にある場合、図４の（ａ）に示すように、下限位置（第１基準位置）に位置しており、操作ハンドル３０が９０°回転位置に位置する場合、図４の（ｂ）に示すように、所定ストローク分だけ上方に向けてスライド移動して中間位置（第１変位位置）に位置しており、さらに操作ハンドル３０が１８０°回転位置に位置する場合、図４の（ｃ）に示すように、所定ストローク分だけ上方に向けてスライド移動して上限位置（第２変位位置）に位置するものである。
【００２７】
このような上部開閉ユニット４０ａにおいては、上部噛合部４２が下限位置（第１基準位置）に位置している場合、図４の（ａ）に示すように上部噛合ピン４１が上部噛合溝４２ａから離脱した非噛合状態となっている。
【００２８】
下部開閉ユニット４０ｂは、下部噛合ピン４３と下部噛合部４４とを備えている。下部噛合ピン４３は、上部噛合ピン４１と同様に、左縦枠１３に配設されており、上部噛合ピン４１よりも下方域に取り付けられている。
【００２９】
下部噛合部４４は、下部スライダ３３に取り付けられている。ここで下部スライダ３３は、左縦框２３に配設されており、この左縦框２３の長手方向に沿って延在する長尺板状部材である。下部スライダ３３の上端部は、中間作動部３１を構成する第２中間スライド部３１４の下端部に連結されており、これにより下部スライダ３３は、操作ハンドル３０の操作による中間作動部３１の駆動に伴って左縦框２３の長手方向に沿ってスライド移動するものである。つまり、下部噛合部４４は、左縦框２３の長手方向に沿ってスライド移動するものである。
【００３０】
下部噛合部４４は、図５の（ａ）に示すように、下部噛合溝４４ａが形成されている。下部噛合溝４４ａは、左縦枠１３を臨むことが可能な面（左面）において、室外側に向かうに連れて漸次上方に傾斜するよう形成されている。
【００３１】
また、下部噛合部４４は、室外側端部が左縦框２３の室外部２３ａよりも室外側に僅かに突出しており、左縦框２３の室外部２３ａに形成された切欠面２３ｂに摺接しながらスライド移動するものである。より詳細に説明すると、下部噛合部４４は、操作ハンドル３０が閉位置にある場合、図５の（ａ）に示すように、上限位置（第１基準位置）に位置しており、操作ハンドル３０が９０°回転位置に位置する場合、図５の（ｂ）に示すように、所定ストローク分だけ下方に向けてスライド移動して中間位置（第１変位位置）に位置し、さらに操作ハンドル３０が１８０°回転位置に位置する場合、図５の（ｃ）に示すように、所定ストローク分だけ下方に向けてスライド移動して下限位置（第２変位位置）に位置するものである。
【００３２】
このような下部開閉ユニット４０ｂにおいては、下部噛合部４４が上限位置（第１基準位置）に位置している場合、図５の（ａ）に示すように下部噛合ピン４３が下部噛合溝４４ａから離脱した非噛合状態となっている。
【００３３】
ストッパ部材５０は、上部開閉ユニット４０ａを構成する上部噛合部４２の下方域において、上部スライダ３２に形成されたストッパ開口３２ａを貫通して左方に突出するよう左縦框２３に取り付けられている。このストッパ部材５０は、図示せぬストッパばねにより室外側に向けて付勢されている。かかるストッパ部材５０に貫通されるストッパ開口３２ａは、図６に示すように、矩形状の開口の中央部において室外側に向けて切欠部３２ｂが形成されて成るものである。
【００３４】
かかるストッパ部材５０は、上部噛合部４２が下限位置に位置する場合には、図６の（ａ）に示すようにストッパ開口３２ａの上端縁部に当接しており、上部噛合部４２が中間位置に位置する場合には、図６の（ｂ）に示すようにストッパばねに付勢されて切欠部３２ｂに進入している。このようにストッパ部材５０が切欠部３２ｂに進入する場合、上部スライダ３２のスライド移動は規制されることとなる。また、上部噛合部４２が上限位置に位置する場合には、図６の（ｃ）に示すようにストッパ開口３２ａの下端縁部に当接している。
【００３５】
第２開閉機構６０は、下框側開閉ユニット６０ａ及び上框側開閉ユニット６０ｂを備えて構成されている。図７は、図１に示した建具の横断面を上方から見た場合を示す断面図である。かかる図７を参照しながら下框側開閉ユニット６０ａについて説明する。尚、上框側開閉ユニット６０ｂは、下框側開閉ユニット６０ａと上下の構成が異なるだけでその他の構成が同一であるので説明を割愛する。
【００３６】
下框側開閉ユニット６０ａは、下框スライダ６１とステイ部材６２とを備えて構成されている。下框スライダ６１は、左縦框（第１框）２３に連結された下框（第２框）２２に配設されており、この下框２２の長手方向に沿って延在する長尺板状部材である。下框スライダ６１の左端部は、図２に示すように、コーナードライブ３４を介して下部スライダ３３の下端部に連結されており、これにより下框スライダ６１は、操作ハンドル３０の操作による中間作動部３１の駆動に伴って下框２２の長手方向に沿ってスライド移動するものである。
【００３７】
下框スライダ６１は、第１貫通長孔６１１、第２貫通長孔６１２及びスライダピン（突起部）６１３を備えて構成されている。第１貫通長孔６１１は、下框スライダ６１の室外側に近接した領域において、下框スライダ６１の長手方向が自身の長手方向となるよう延在している。第２貫通長孔６１２は、下框スライダ６１の室外側に近接した領域における第１貫通長孔６１１の右側において、下框スライダ６１の長手方向が自身の長手方向となるよう延在している。スライダピン６１３は、第１貫通長孔６１１と第２貫通長孔６１２との間であってこれら第１貫通長孔６１１及び第２貫通長孔６１２よりも室内側となる領域に下方に向けて突出するよう設けられている。
【００３８】
ステイ部材６２は、下枠（第２枠）１２に設けられた基板６３に２つのリンクアーム部材６４，６５を介して連結されており、図７に示すように開口枠１０に対して障子２０を閉じた状態にある場合、障子２０の見付け方向（下框スライダ６１の長手方向）に沿って延在する長尺板状部材である。このステイ部材６２には、図８に拡大して示すように、連結ピン６２１、連結長孔６２２及び開閉長孔６２３を備えて構成されている。
【００３９】
連結ピン６２１は、ステイ部材６２から上方に突出するよう設けられており、該ステイ部材６２と障子２０の下框２２とを連結するものである。この連結ピン６２１は、下框スライダ６１の第１貫通長孔６１１を貫通した状態で設けられている。連結長孔６２２は、図７において室内外方向が長手方向となるものであり、障子２０の下框２２に設けられ、かつ下框スライダ６１の第２貫通長孔６１２を貫通する図示せぬ框ピンを進入させるためのものである。
【００４０】
開閉長孔６２３は、下框スライダ６１に設けられたスライダピン６１３を進入させるもので、第１長孔部６２３ａ及び第２長孔部６２３ｂを有している。第１長孔部６２３ａは、ステイ部材６２の長手方向に沿って延在するものであり、より詳細には、自身にスライダピン６１３が進入する場合における下框２２の長手方向（障子２０の見付け方向）に沿って延在するものである。第２長孔部６２３ｂは、第１長孔部６２３ａに連続して形成されて該第１長孔部６２３ａの長手方向に対して傾斜する方向に延在するものであり、より詳細には、右側に向かうに連れて漸次室内側（障子２０の開移動する方向）に向けて傾斜するよう延在するものである。
【００４１】
このような下框側開閉ユニット６０ａにおいては、操作ハンドル３０が閉位置にある場合、図７に示すように、下框スライダ６１が左限位置（第２基準位置）に位置している。この場合、連結ピン６２１が第１貫通長孔６１１の右端部を貫通するとともに、框ピンが第２貫通長孔６１２の右端部を貫通するとともに連結長孔６２２の室外側端部を貫通しており、さらにスライダピン６１３が開閉長孔６２３の左端部、すなわち第１長孔部６２３ａの左端部を貫通しており、これにより、ステイ部材６２は上枠１１と上下に重なった状態となっている。
【００４２】
尚、上框側開閉ユニット６０ｂは、上框スライダ６６とステイ部材６７とを備えて構成されている。上框スライダ６６は、左縦框２３（第１框）に連結された上框（第２框）２１に配設されており、この上框２１の長手方向に沿って延在する長尺板状部材である。上框スライダ６６の左端部は、図２に示すように、コーナードライブ３５を介して上部スライダ３２の上端部に連結されており、これにより上框スライダ６６は、操作ハンドル３０の操作による中間作動部３１の駆動に伴って上框２１の長手方向に沿ってスライド移動するものである。ステイ部材６７は、上下構成は異なるが、下框側開閉ユニット６０ａを構成するステイ部材６２と構成は同じである。
【００４３】
以上のような構成を有する建具においては、操作ハンドル３０が閉位置にある場合、上部噛合部４２が下限位置に位置することで上部噛合ピン４１と非噛合状態にあり、かつ下部噛合部４４が上限位置に位置することで下部噛合ピン４３と非噛合状態にある。また、下框スライダ６１が左限位置に位置してステイ部材６２が上枠１１と上下に重なった状態となっている。この場合、図示せぬ戸先ロック部品により開口枠１０に対して障子２０が閉じた状態となっている。つまり、第１開閉機構４０及び第２開閉機構６０は、操作ハンドル３０が閉位置にある場合、開口枠１０に対して障子２０が閉じた状態となることを許容している。
【００４４】
操作ハンドル３０が操作されて９０°回転位置となると、上部噛合部４２が中間位置までスライド移動するとともに、下部噛合部４４が中間位置までスライド移動することとなる。上部噛合部４２が中間位置までスライド移動しても、図４の（ｂ）に示すように上部噛合ピン４１と離隔しており、これにより上部噛合ピン４１が上部噛合溝４２ａから離脱した非噛合状態となる。また、下部噛合部４４が中間位置までスライド移動しても、図５の（ｂ）に示すように下部噛合ピン４３と離隔しており、これにより下部噛合ピン４３が下部噛合溝４４ａから離脱した非噛合状態となる。このように第１開閉機構４０においては、上部開閉ユニット４０ａ及び下部開閉ユニット４０ｂの構成要素が互いに非噛合状態となっているので、障子２０の左縦框２３側を開閉端とさせることができる。
【００４５】
また、操作ハンドル３０が９０°回転位置まで操作されると、下框スライダ６１が中間位置（第１移動位置）までスライド移動することとなる。このように下框スライダ６１が中間位置までスライド移動すると、スライダピン６１３が開閉長孔６２３の第１長孔部６２３ａを移動してその延在端部に至る。ここで第１長孔部６２３ａは、障子２０の見付け方向に沿って延在しているので、下框スライダ６１とステイ部材６２とは下框スライダ６１が左限位置に位置する際の互いの角度関係が維持され、障子２０が開閉移動されることを許容する。
【００４６】
尚、図示していないが、上框側開閉ユニット６０ｂにおいても上框スライダ６６が所定ストローク分だけ右方にスライド移動することで該上框側開閉ユニット６０ｂを構成するステイ部材６７と上框スライダ６６との互いの角度関係が維持されて障子２０が開閉移動されることを許容する。
【００４７】
このように第１開閉機構４０が障子２０の左縦框２３側を開閉端とさせるとともに、第２開閉機構６０が障子２０が開閉移動されることを許容することにより、図９や図１０に示すように、障子２０を室内側に向けて必要な開度分だけ開移動させることができ、障子２０の清掃を良好に行うことができる。
【００４８】
また、上部噛合部４２が中間位置に位置することにより、図６の（ｂ）に示すように、ストッパ部材５０がストッパばねに付勢されて切欠部３２ｂに進入し、上部スライダ３２のスライド移動が規制される。そのため、上部スライダ３２に連係する操作ハンドル３０を所定の位置（９０°回転位置）に維持することができる。
【００４９】
かかる状態では操作ハンドル３０を操作することができないので、操作ハンドル３０の操作を有効なものとするために、開移動させた障子２０を一旦閉移動させて開口枠１０に対して障子２０を閉じた状態にさせる。この際、ストッパ部材５０の先端部が左縦枠１３に当接され、これによりストッパ部材５０はストッパばねの付勢力に抗して切欠部３２ｂから離脱する。このため、上部スライダ３２はスライド移動可能となり、操作ハンドル３０の操作を有効なものとすることができる。
【００５０】
そして、操作ハンドル３０が操作されて１８０°回転位置となると、上部噛合部４２が上限位置までスライド移動するとともに、下部噛合部４４が下限位置までスライド移動することとなる。上部噛合部４２が上限位置までスライド移動すると、図４の（ｃ）に示すように、上部噛合ピン４１が上部噛合溝４２ａに進入して上部噛合ピン４１と上部噛合部４２とが噛合状態となり、この上部噛合ピン４１が上部噛合溝４２ａを室外側に向けて相対的に移動することとなる。また、下部噛合部４４が下限位置までスライド移動すると、図５の（ｃ）に示すように、下部噛合ピン４３が下部噛合溝４４ａに進入して下部噛合ピン４３と下部噛合部４４とが噛合状態となり、この下部噛合ピン４３が下部噛合溝４４ａを室外側に向けて相対的に移動することとなる。これにより、第１開閉機構４０は、障子２０の左縦框２３側を室内側に向けて所定量開移動させることができる。
【００５１】
また、操作ハンドル３０が１８０°回転位置まで操作されると、下框スライダ６１が右限位置（第２移動位置）までスライド移動することとなる。このように下框スライダ６１が右限位置までスライド移動すると、スライダピン６１３が開閉長孔６２３の第２長孔部６２３ｂに進入して該第２長孔部６２３ｂを移動することにより、ステイ部材６２を開口枠１０の室内側に向かって移動させつつ回動させることができる。
【００５２】
尚、図示していないが、上框側開閉ユニット６０ｂにおいても上框スライダ６６が所定ストローク分だけ右方にスライド移動することで該上框側開閉ユニット６０ｂを構成するステイ部材６７を開口枠１０の室内側に向かって移動させつつ回動させることができる。
【００５３】
このようにステイ部材６２を開口枠１０の室内側に向かって移動させつつ回動させることにより、第２開閉機構６０は、障子２０の右側の縦框２４（以下、「右縦框２４」ともいう）側を室内側に向けて所定量開移動させることができる。
【００５４】
第１開閉機構４０が障子２０の左縦框２３側を室内側に向けて所定量開移動させるとともに、第２開閉機構６０が障子２０の右縦框２４側を室内側に向けて所定量開移動させることにより、図１１や図１２に示すように、障子２０全体を開口枠１０に対して室内側に平行に突き出した状態にすることができる。このように障子２０全体を開口枠１０に対して室内側に平行に突き出した状態にすることで、障子２０の上下左右に開口枠１０との隙間が形成され、換気性能の向上を図ることができる。
【００５５】
このように障子２０全体が開口枠１０に対して室内側に平行に突き出した状態となる場合、図４の（ｃ）及び図５の（ｃ）に示すように、上部開閉ユニット４０ａ及び下部開閉ユニット４０ｂの構成要素が噛合状態となっており、上部噛合溝４２ａ及び下部噛合溝４４ａの室外側は閉塞されているので、上部噛合ピン４１及び下部噛合ピン４３が室外側に向けて移動することが規制されている。そのため、開口枠１０に対して室内側に平行に突き出した状態にある障子２０が室内側に向けて開移動することを規制することができる。
【００５６】
以上説明したような本実施の形態である建具においては、中間作動部３１、上部スライダ３２、下部スライダ３３、コーナードライブ３４，３５が操作ハンドル３０の操作を伝達する連係手段を構成している。
【００５７】
上記建具においては、操作ハンドル３０が９０°回転位置に操作されることにより、障子２０を室内側に向けて必要な開度分だけ開移動させることができ、障子２０の清掃を良好に行うことができる。また、操作ハンドル３０が１８０°回転位置に操作されることにより、障子２０全体を室内側に平行に突き出した状態にすることができ、換気性能の向上を図ることができる。しかも操作ハンドル３０が操作されるだけで障子２０の開移動パターンを調整できるので、操作性を良好なものとすることができる。従って、上記建具によれば、操作性の向上を図るとともに、換気と清掃とを良好に行うことができる。
【００５８】
上記建具によれば、第１開閉機構４０を構成する上部噛合ピン４１及び下部噛合ピン４３を左縦枠１３に配設したので、左縦枠１３に上部噛合部４２や下部噛合部４４を配設するのに比して目立たなくすることができ、意匠性にも優れたものとすることができる。
【００５９】
上記建具によれば、第２開閉機構６０を構成する下框スライダ６１及び上框スライダ６６にスライダピン６１３を形成し、かつステイ部材６２，６７に開閉長孔６２３を形成したので、下框スライダ６１及び上框スライダ６６における障子２０の見込み方向に沿った長さが過大なものとなることを抑制することができる。
【００６０】
以上、本発明の好適な実施の形態について説明したが、本発明はこれに限定されるものではなく、種々の変更を行うことができる。
【００６１】
上述した実施の形態では、操作ハンドル３０は、閉位置と、９０°回転位置と、１８０°回転位置との間で回転するものであったが、本発明は、操作ハンドルの回転角度は特に限定されるものではない。
【００６２】
上述した実施の形態では、障子２０が室内側に向けて開移動するものであったが、本発明においては、障子が室外側に向けて開移動するものであってもよい。
【００６３】
上述した実施の形態では、第１開閉機構４０が左縦枠１３と左縦框２３との間に設けられ、第２開閉機構６０が上枠１１と上框２１との間、並びに下枠１２と下框２２との間に設けられることにより、建具が縦すべり出し窓としての機能を有するものであったが、本発明においては、建具が横すべり出し窓としての機能を有するものであってもよい。つまり、第１開閉機構が下枠と下框との間に設けられ、第２開閉機構が縦枠と縦框との間に設けられるものであってもよい。
【符号の説明】
【００６４】
１０  開口枠
１１  上枠
１２  下枠
１３  左縦枠
１４  縦枠
２０  障子
２１  上框
２２  下框
２３  左縦框
２４  右縦框
２５  面材
３０  操作ハンドル
３１  中間作動部
４０  第１開閉機構
４０ａ  上部開閉ユニット
４０ｂ  下部開閉ユニット
４１  上部噛合ピン
４２  上部噛合部
４２ａ  上部噛合溝
４２１  上部傾斜溝部
４２２  上部縦溝部
４３  下部噛合ピン
４４  下部噛合部
４４ａ  下部噛合溝
４４１  下部傾斜溝部
４４２  下部縦溝部
５０  ストッパ部材
６０  第２開閉機構
６０ａ  下框側開閉ユニット
６０ｂ  上框側開閉ユニット
６１  下框スライダ
６１１  第１貫通長孔
６１２  第２貫通長孔
６１３  スライダピン
６２  ステイ部材
６２１  連結ピン
６２２  連結長孔
６２３  開閉長孔
６２３ａ  第１長孔部
６２３ｂ  第２長孔部
【図１】
2014118804.tif 000003
【図２】
2014118804.tif 000004
【図３】
2014118804.tif 000005
【図４】
2014118804.tif 000006
【図５】
2014118804.tif 000007
【図６】
2014118804.tif 000008
【図７】
2014118804.tif 000009
【図８】
2014118804.tif 000010
【図９】
2014118804.tif 000011
【図１０】
2014118804.tif 000012
【図１１】
2014118804.tif 000013
【図１２】
2014118804.tif 000014